(57)【要約】【課題】  入力されるバースト信号とＡＬＣ切替の同期をとり、バースト信号のみ送信している場合と、連続信号とバースト信号が混在して送信している場合とでＡＬＣを行い、精度良く送信電力の調整を行うことができる無線通信装置を得ることを目的とする。【解決手段】  比較判定部１６は入力電力値Ｐ１と入力基準値Ｐｉｎとを比較し、Ｐ１がＰｉｎ以上となったときに入力信号が有ると判定する。比較判定部１８はメモリ１７に記憶した前回制御時点の送信電力値Ｐ３と現在の制御時点における送信電力値Ｐ２とを比較し、減少量（Ｐ３−Ｐ２）が所定値以上となるかどうか判定し、また、増加量（Ｐ２−Ｐ３）が所定値以上となるかどうかを判定する。これらの判定結果に基づいて、第１利得制御部２０及び第２利得制御部２１によって、可変利得器４に利得調整量を指令する。【選択図】        図２
2008109435.tif 000002
【特許請求の範囲】
【請求項１】
間欠的なバースト信号が入力されて利得調整を行う利得調整手段と、この利得調整手段により利得調整された送信信号の電力を検出する送信電力検出手段と、上記利得調整手段に入力される信号の電力を検出する入力電力検出手段と、この入力電力検出手段により検出した電力に基づいて、入力信号の有無を判定する入力判定手段と、この入力判定手段により入力信号が有ると判定されたことに基づき利得調整量を算出して上記利得調整手段に指示し、上記送信電力検出手段により検出する上記送信信号の電力の減少が所定量以上となったときに上記利得調整手段に利得固定を指示する第１の利得制御手段とを備えたことを特徴とする無線通信装置。
【請求項２】
上記第１の利得制御手段は、上記入力判定手段により入力信号が有ると判定した後、所定期間経過後に利得調整量を算出して上記利得調整手段に指示することを特徴とする請求項１に記載の無線通信装置。
【請求項３】
連続信号と間欠的なバースト信号とが入力されて利得調整を行う利得調整手段と、この利得調整手段により利得調整された送信信号の電力を検出する送信電力検出手段と、上記連続信号が上記利得調整手段に入力されていることを示す通知信号が入力されている場合において、上記送信電力検出手段により検出した送信信号の電力の増加が所定値以上となったときに、上記利得調整手段に利得固定を指示する第２の利得制御手段とを備えたことを特徴とする無線通信装置。
【請求項４】
上記第２の利得制御手段は、上記送信電力検出手段により検出した送信信号の電力の増加が所定値以上となった後、所定期間経過後に利得調整量を算出して上記利得調整手段に指示することを特徴とする請求項３に記載の無線通信装置。
【請求項５】
連続信号と間欠的なバースト信号とが入力されて利得調整を行う利得調整手段と、この利得調整手段により利得調整された送信信号の電力を検出する送信電力検出手段と、上記利得調整手段に入力される信号の電力を検出する入力電力検出手段と、この入力電力検出手段により検出した電力に基づいて、入力信号の有無を判定する入力判定手段と、上記連続信号が上記利得調整手段に入力されていることを示す通知信号が入力されていない場合において、上記入力判定手段により入力信号が有ると判定されたことに基づき利得調整量を算出して上記利得調整手段に指示し、上記送信電力検出手段により検出する上記送信信号の電力の減少が所定量以上となったときに上記利得調整手段に利得固定を指示する第１の利得制御手段と、上記連続信号が上記利得調整手段に入力されていることを示す通知信号が入力されている場合において、上記送信電力検出手段により検出した送信信号の電力の増加が所定値以上となったときに、上記利得調整手段に利得固定を指示する第２の利得制御手段とを備えたことを特徴とする無線通信装置。
【発明の詳細な説明】
【技術分野】
【０００１】
この発明は、間欠的なバースト信号を送信する状態や、連続信号とバースト信号とを混在して送信する状態において、送信する電力の調整を行う無線通信装置に関するものである。
【背景技術】
【０００２】
衛星通信装置等の無線通信装置では、電波法で規定されている送信電力精度を満足するために、自らの送信する電力を検出し、その検出値を設定値と比較して、比較結果を利得調整手段にフィードバックして送信電力の制御を行うＡＬＣ（Ａｕｔｏ  Ｌｅｖｅｌ  Ｃｏｎｔｒｏｌ）と呼ばれる閉ループ制御が一般的に採用されている。例えば、特開２００１−１８６０２９号公報には、送受信切替の操作がなされるスイッチの状態を検出し、送信時にのみ利得調整信号を動作状態にすることで間欠的に送信を行う無線通信装置が記載されている。
【０００３】
【特許文献１】特開２００１−１８６０２９号公報
【発明の開示】
【発明が解決しようとする課題】
【０００４】
特許文献１に記載の方法によると、送受信切替スイッチの状態が送信状態になっているときに利得調整が行われるが、これを間欠的にバースト送信を行う送信形式に適用すると、バースト信号が終了した後も利得調整が行われる。送信状態ではあるが、バースト信号が入力されていないときには、出力信号がないため利得を増加させることとなり、この高利得のまま、次のバースト信号が入力されると、バースト信号の先頭部分で急峻に送信電力が立上がり、電波法や通信システムで規定される送信電力精度を超える電力を送信するという問題があった。また、連続信号とバースト信号とが混在して送信する送信形式の場合には、連続信号とバースト信号の送信総電力が増加するため、これを抑制するように利得調整が行われ、連続信号とバースト信号のそれぞれの送信電力が低下するという問題点もあった。さらには、バースト信号送信期間を検出して出力電力をフィードバックしてＡＬＣを行ったとしても、連続信号とバースト信号が混在した後、バースト信号が終了して連続信号のみ送信している状態に遷移すると、その連続信号に対してはＡＬＣが動作しないこととなり、連続信号の出力変動を調整できないという問題点もあった。
【０００５】
この発明は、上記のような問題を解決するためになされたもので、入力されるバースト信号とＡＬＣ切替の同期をとり、バースト信号のみ送信している場合と、連続信号とバースト信号が混在して送信している場合とでＡＬＣを行い、精度良く送信電力の調整を行うことができる無線通信装置を得ることを目的とする。
【課題を解決するための手段】
【０００６】
請求項１の発明に係る無線通信装置は、間欠的なバースト信号が入力されて利得調整を行う利得調整手段と、この利得調整手段により利得調整された送信信号の電力を検出する送信電力検出手段と、上記利得調整手段に入力される信号の電力を検出する入力電力検出手段と、この入力電力検出手段により検出した電力に基づいて、入力信号の有無を判定する入力判定手段と、この入力判定手段により入力信号が有ると判定されたことに基づき利得調整量を算出して上記利得調整手段に指示し、上記送信電力検出手段により検出する上記送信信号の電力の減少が所定量以上となったときに上記利得調整手段に利得固定を指示する第１の利得制御手段とを備えたものである。
【０００７】
請求項２の発明に係る無線通信装置は、請求項１の発明に係る無線通信装置において、上記第１の利得制御手段は、上記入力判定手段により入力信号が有ると判定した後、所定期間経過後に利得調整量を算出して上記利得調整手段に指示するものである。
【０００８】
請求項３の発明に係る無線通信装置は、連続信号と間欠的なバースト信号とが入力されて利得調整を行う利得調整手段と、この利得調整手段により利得調整された送信信号の電力を検出する送信電力検出手段と、上記連続信号が上記利得調整手段に入力されていることを示す通知信号が入力されている場合において、上記送信電力検出手段により検出した送信信号の電力の増加が所定値以上となったときに、上記利得調整手段に利得固定を指示する第２の利得制御手段とを備えたものである。
【０００９】
請求項４の発明に係る無線通信装置は、請求項３の発明に係る無線通信装置において、上記第２の利得制御手段は、上記送信電力検出手段により検出した送信信号の電力の増加が所定値以上となった後、所定期間経過後に利得調整量を算出して上記利得調整手段に指示するものである。
【００１０】
請求項５の発明に係る無線通信装置は、連続信号と間欠的なバースト信号とが入力されて利得調整を行う利得調整手段と、この利得調整手段により利得調整された送信信号の電力を検出する送信電力検出手段と、上記利得調整手段に入力される信号の電力を検出する入力電力検出手段と、この入力電力検出手段により検出した電力に基づいて、入力信号の有無を判定する入力判定手段と、上記連続信号が上記利得調整手段に入力されていることを示す通知信号が入力されていない場合において、上記入力判定手段により入力信号が有ると判定されたことに基づき利得調整量を算出して上記利得調整手段に指示し、上記送信電力検出手段により検出する上記送信信号の電力の減少が所定量以上となったときに上記利得調整手段に利得固定を指示する第１の利得制御手段と、上記連続信号が上記利得調整手段に入力されていることを示す通知信号が入力されている場合において、上記送信電力検出手段により検出した送信信号の電力の増加が所定値以上となったときに、上記利得調整手段に利得固定を指示する第２の利得制御手段とを備えたものである。
【発明の効果】
【００１１】
請求項１又は請求項２に記載の発明によれば、間欠的なバースト信号が入力されて利得調整を行う場合に、入力信号の有無を判定して入力信号が有ると判定されたことに基づき利得調整を行い、送信信号の電力の減少が所定量以上となったときに利得固定を指示するので、バースト信号が入力されている状態での利得調整を行うことができ、また、入力信号が有ると判定した後、所定期間経過後に利得調整を行うので、安定した送信電力制御を行うことができる。
【００１２】
請求項３又は請求項４に記載の発明によれば、連続信号と間欠的なバースト信号とが入力されて利得調整を行う場合に、連続信号が入力されていることを示す通知信号が入力され、送信信号の電力の増加が所定値以上となったときに、利得固定を指示するので、連続信号とバースト信号が混在しても、送信電力の総和を抑制せずに精度のよい送信電力制御をすることができ、また、送信信号の電力の増加が所定値以上となり所定期間経過後に利得調整を行うので、所定期間経過により、送信電力を送信目標電力値に近づけるように制御することができ、安定した送信電力制御をすることができる。
【００１３】
請求項５に記載の発明によれば、連続信号と間欠的なバースト信号とが入力されて利得調整を行う場合に、バースト信号のみが入力されているときには、そのバースト信号を検出することにより利得調整を行うことができ、連続信号が入力されているときには、入力信号の増加を検出して利得を固定することにより、送信電力の総和を抑制せずに精度のよい送信電力制御をすることができる。
【発明を実施するための最良の形態】
【００１４】
実施の形態１
【００１５】
この発明の実施の形態１に係る無線通信装置を図１乃至図８を用いて説明する。図１はこの発明の実施の形態１に係る無線通信装置における送信信号の周波数配置の一例を示す模式図である。図１において、１は無線通信装置が送信するｆ１を中心周波数とする回線であり、２はｆ２を中心周波数とする回線である。例えば、回線１をデータや音声、映像といった情報を通信する通信回線とし、回線２をヘルスチェック等の管理や制御のためのデータを送信する制御回線とすると、回線１は大量の情報を相手側の無線通信装置へ送信するために、比較的長い期間、送信信号を送信する回線であり、本発明において連続的な信号（以下、連続信号という。）として扱うものとする。但し、無線通信装置が相手側の無線通信装置との間で通信を行わない場合には、この連続信号は送信されていない状態となる。一方、回線２はヘルスチェック等の管理データ等を送信するため、回線１に比べて回線の帯域幅が狭く、送信期間も短いバースト的な信号（以下、バースト信号という。）を送信する。これらの回線１と回線２は周波数的には分離されており、いずれか一方の回線による送信が行われている状態や、両方の回線による同時の送信が行われている状態があるものとする。即ち、連続信号のみが送信される状態、バースト信号のみが送信される状態、連続信号とバースト信号とが混在して送信される状態がある。
【００１６】
次に、図２により無線通信装置の構成を説明する。図２はこの発明の実施の形態１に係る無線通信装置の構成を示す機能ブロック図である。図２において、３は送信する連続信号及びバースト信号による入力信号（入力信号の電力値をＰ１と表す。）が入力される入力端子、４は入力信号の利得調整を行う可変利得器、５は送信信号を電力増幅して出力する電力増幅器、６は送信信号の一部を取り出す方向性結合器であり、７は送信信号の出力端子である。出力端子７から送信する送信信号の電力値をＰ２と表す。電力増幅器５は、送信能力の仕様によって装置構成上不要の場合もある。８は入力端子３側に接続されて、入力信号を検波して電力を検出する入力電力検出器、９は方向性結合器６により取り出した送信信号の一部を検波して電力を検出する送信電力検出器、１０は利得調整の指令を生成する制御部である。入力電力検出器８及び送信電力検出器９はダイオードによる半波整流とその信号波形の平滑化により電力値を検出する。入力端子３の前段においては、フレーム処理等の信号処理や誤り訂正等の符号化処理、高周波変換や変調等の処理が行われ、入力端子３に入力信号が入力されることになるが、これらの回路については図示を省略する。
【００１７】
制御部１０において、１１は入力電力検出器８の出力をデジタル変換するＡ／Ｄ変換器、１２は送信電力検出器９の出力をデジタル変換するＡ／Ｄ変換器である。１３は入力基準値Ｐｉｎが入力される端子、１４は連続信号が入力端子３から入力されていることを通知する連続信号通知の入力端子、１５は送信目標電力値Ｐｔを入力する端子である。１６はＡ／Ｄ変換器１１が出力する入力電力値Ｐ１と入力基準値Ｐｉｎとを比較し、Ｐ１がＰｉｎ以上となったときに入力信号が有ると判定する比較判定部である。１７はＡ／Ｄ変換器１２が出力する送信電力を記憶するメモリであり、この制御部１０における制御サイクルにおいて、前回の制御時点における送信電力値を記憶する。このメモリ１７が記憶する前回制御時点の送信電力値をＰ３とする。１８はメモリ１７に記憶した前回制御時点の送信電力値Ｐ３と現在の制御時点における送信電力値Ｐ２とを比較し、その差分である減少量（Ｐ３−Ｐ２）が所定値Ｐｄｏｗｎ以上となるかどうか判定し、また、その差分である増加量（Ｐ２−Ｐ３）が所定値Ｐｕｐ以上となるかどうかを判定する比較判定部である。１９は利得制御部であり、比較判定部１６及び比較判定部１８の判定結果が入力され、判定結果に基づいて利得調整量を算出し可変利得器４への指令信号を出力する。利得制御部１９内において、２０はバースト信号のみが入力端子３から入力されている状態で利得調整量を算出し可変利得器４への指令信号を生成する第１利得制御部、２１は連続信号とバースト信号とが混在して入力端子３から入力されている状態で利得調整量を算出し、可変利得器４への指令信号を生成する第２利得制御部である。
【００１８】
次に無線通信装置における利得制御について説明する。図３は利得制御のメイン処理を表すフローチャートである。ＡＬＣ制御処理が開始されると、その制御サイクルにおける入力電力値Ｐ１、送信電力値Ｐ２がそれぞれステップＳ１とステップＳ２により取得される。次にステップＳ３において連続信号が入力端子３から入力されているかどうかを判定する。連続信号が入力端子３から入力されている場合には、端子１４に連続信号通知が入力されており、この連続信号通知が有るかどうかを利得制御部１９において判定する。ステップＳ３において、利得制御部１９が、連続信号が入力端子３に入力されていないと判定した場合、ステップＳ４に進み、バースト信号のみが入力されている状態における利得調整量の計算処理に移る。このステップＳ４における処理は第１利得制御部２０において行われる。ステップＳ３において、利得制御部１９が、連続信号が入力端子３に入力されていると判定した場合、ステップＳ５に進み、連続信号とバースト信号とが混在して入力されている状態における利得調整量の計算処理に移る。このステップＳ５における処理は第２利得制御部２１において行われる。即ち、利得制御部１９は連続信号通知に基づいて第１利得制御部２０（連続信号なしの場合）と第２利得制御部２１（連続信号ありの場合）とを切替えて使用している。ステップＳ４及びステップＳ５の処理により利得調整量を算出し、ステップＳ６に移行して可変利得器４への指令を生成し可変利得器４を制御する。ステップＳ６ののち、次の制御サイクルに移り、ステップＳ１から上記と同じ手順による処理を行う。
【００１９】
次に図３のステップＳ４の処理の詳細を図４及び図５により説明する。図４はバースト信号のみが入力されている状態における利得調整量の計算処理を示すフローチャートであり、図５はバースト信号のみが入力されている状態における信号タイムチャートの一例である。図５の（Ｉ）段は入力電力値を、（ＩＩ）段はＡＬＣ制御の状況を、（ＩＩＩ）段は可変利得器の利得を、（ＩＶ）段は送信電力値を示すタイムチャートである。図４における処理開始の後、ステップＳ７において入力電力値Ｐ１と入力基準値Ｐｉｎとを比較し、入力電力値Ｐ１が入力基準値Ｐｉｎ以上である場合には、ステップＳ８に移行する。これは、図５のｔ０からｔ１までの期間で入力電力値Ｐ１が入力基準値Ｐｉｎに対して低く入力信号が無い状態（この状態では、ステップＳ７からステップＳ１２、ステップＳ１３に移行し、制御サイクルを終了するので、利得は固定されている）から、ｔ１においてＰ１がＰｉｎ以上となって入力信号（バースト信号）が有ると判定された状態になることにより、ステップＳ８に移行するものである。ステップＳ８では、入力信号が検出されてからＡＬＣ制御を開始するまでの間に、所定の待機期間を設けるために、ＡＬＣ開始待機カウント値Ｃが所定カウント値Ｃａ以上となっているかを判定する。所定の待機期間を設けるのは、図５のｔ１からｔ２間のように入力信号値Ｐ１が安定するまでにＡＬＣを行うとすれば、立上がりのｔ１付近で急峻に利得を高くするよう制御され、オーバーシュートとその後のダンピング振動が発生することを防止するためである。ＡＬＣ開始待機カウント値Ｃの初期値は０であり、図５のｔ１からｔ２までの期間の制御サイクル中でカウントアップされる。即ち、ステップＳ８において、ＡＬＣ開始待機カウント値Ｃが所定カウント値Ｃａに達していない場合には、ステップＳ９へ移行し、ＡＬＣ開始待機カウント値Ｃをカウントアップし、ステップＳ１３の後、次の制御サイクルに移行するので、カウントアップが続くこととなる。所定カウント値Ｃａは、この無線通信装置の送信機におけるバースト信号の立上がり特性を測定し、送信電力が安定するまでの所定の待機期間が得られるように設定すれば良い。なお、このカウントアップはステップＳ７とステップＳ８との間で行っても良い。
【００２０】
図４のステップＳ８にて、利得制御部１９は、ＡＬＣ開始待機カウント値Ｃが所定カウント値Ｃａ以上となっていると判定すると、ステップＳ１０の処理に移行する。ステップＳ１０において、比較判定部１８は、制御サイクルの前回制御時点の送信電力値Ｐ３（メモリ１７に記憶していたもの）と現在の制御時点における送信電力値Ｐ２とを比較し、その差分である減少量（Ｐ３−Ｐ２）が所定値Ｐｄｏｗｎ以下となっているかどうか判定し、判定結果を利得制御部１９へ出力する。Ｐｄｏｗｎ値は電力減少を判定するためのしきい値である。この判定結果を受けて利得制御部１９内の第１利得制御部２０は、Ｐ３−Ｐ２＜Ｐｄｏｗｎの関係が満たされる場合には、ステップＳ１１の処理へ移行し、可変利得器４の調整量を算出する。可変利得器４の調整量は、送信目標電力値Ｐｔと送信電力値Ｐ２との差分にフィードバック平滑量（１以下の値）を乗算して算出する。ステップＳ１１における可変利得器４の調整量の算出がされたのち、ステップＳ１３に移行し、メモリ１７に記憶する前回制御時点の送信電力値Ｐ３を現在の制御時点における送信電力値Ｐ２に置き換え、次の制御サイクルに進む。このステップＳ１１における利得調整量の算出は、図５において時刻ｔ２からｔ３までの間の制御サイクル中の各時点で行われ、図５の（ＩＩ）段においてＡＬＣ実施の状態となり、（ＩＩＩ）段における利得を変化させる制御が動作する。
【００２１】
次に、ステップＳ１０において、比較判定部１８が電力値の差分Ｐ３−Ｐ２がＰｄｏｗｎ以上となる判定結果を出力すると、これは、バースト信号の立下りを検出状態を示すものとなり、この判定結果を受けて、第１利得制御部２０は、利得を固定する指令を可変利得器４へ出力し、利得が固定される。即ち、時刻ｔ３において送信電力値Ｐ２が減少してくるので、ステップＳ１０からステップＳ１１へは移行せずにステップＳ１３へ移行して制御サイクルを終了する。時刻ｔ３以降は、図５の（ＩＩ）段において利得固定状態となり、（ＩＩＩ）段においても利得が固定されているものである。また、時刻ｔ４以降は図５の（Ｉ）段のように入力電力値Ｐ１が入力基準値Ｐｉｎ以下となるので、図４におけるステップＳ７からステップＳ１２へ移行して、ＡＬＣ開始待機カウント値Ｃを０に戻し、ステップＳ１３によりメモリ１７に記憶する送信電力値を更新して制御サイクルを終了しているので、利得は固定された状態となる。
【００２２】
以上のように、第１利得制御部２０の動作により、バースト信号のみが入力端子３に入力されている状態において、バースト信号の立上がりにより利得調整が動作し、バースト信号の立下りにより利得固定状態となるので、バースト信号が入力されている状態での利得調整が可能となり、バースト信号が無くなった状態では可変利得器４の利得が固定され、次のバースト信号が到来した際には、固定された利得により、急峻な送信電力の立上がりが生じず、安定したバースト信号送信が可能となる（例えば、図５のｔ５時点）。また、バースト信号入力の立上がり時点である時刻ｔ１からバースト信号が安定する時刻ｔ２までは、利得を固定するので急激な利得の上昇によるオーバーシュートとその後のダンピング振動が発生することを防止して、安定した送信電力制御を行うことができる。
【００２３】
次に、図３のステップＳ５の処理の詳細を図６乃至図８により説明する。図６は連続信号とバースト信号とが混在して入力されている状態における利得調整量の計算処理を示すフローチャートであり、図７は連続信号とバースト信号とが混在して入力されている状態における信号タイムチャートの一例であり、図８は連続信号とバースト信号とが混在して入力されている状態において連続信号が変化した場合の信号タイムチャートの一例である。図７及び図８において、（Ｉ）段は入力電力値を、（ＩＩ）段はＡＬＣ制御の状況を、（ＩＩＩ）段は可変利得器の利得を、（ＩＶ）段は送信電力値を示すタイムチャートである。図３に戻って、ステップＳ５の処理は入力端子３に連続信号が入力されている場合に生起する。即ち、図７における時刻ｔ６から時刻ｔ７までの期間において、（Ｉ）段の入力信号には連続信号があり、その入力電力値は、連続信号の電力値になっているものとする。
【００２４】
図６のフローチャートにおいて、連続信号とバースト信号とが混在して入力されている場合の処理開始の後、ステップＳ１４において、比較判定部１８により現制御時点の送信電力値Ｐ２と前回制御時点の送信電力値Ｐ３とを比較し、差分（Ｐ２−Ｐ３）が所定値Ｐｕｐ以上となるかどうかを判定し、判定結果を利得制御部１９へ出力する。Ｐｕｐ値は電力増加を判定するためのしきい値である。Ｐ２−Ｐ３≦Ｐｕｐとの判定結果に対して、ステップＳ１５に移行し、利得制御部１９内の第２利得制御部２１は、可変利得器４の調整量を算出し、可変利得器４へ出力する。可変利得器４の調整量は、送信目標電力値Ｐｔと送信電力値Ｐ２との差分にフィードバック平滑量（１以下の値）を乗算して算出する。ステップＳ１５における可変利得器４の調整量の算出がされたのち、ステップＳ１６に移行し、メモリ１７に記憶する前回制御時点の送信電力値Ｐ３を現在の制御時点における送信電力値Ｐ２に置き換え、次の制御サイクルに進む。このステップＳ１４における利得調整量の算出は、図７において時刻ｔ６からｔ７までの間の制御サイクル中の各時点で行われ、図７の（ＩＩ）段においてＡＬＣ実施の状態となり、（ＩＩＩ）段における利得を変化させる制御が動作するが、図７においては、連続信号の入力値が安定しているとして、可変利得器４の利得もほぼ安定している状態を示している。ステップＳ１４において、Ｐ２−Ｐ３＞Ｐｕｐとの判定結果となると（図７のｔ７時点）、ステップＳ１８へ移行する。ステップＳ１８では、バースト検出カウンタＣが所定カウント値Ｃｂ以上となっているかを判定する。バースト検出カウンタＣが所定カウント値Ｃｂ以下の場合は、ステップＳ１９へ移行し、バースト検出カウンタのカウントアップを行い、次の制御サイクルへ移行する。即ち、図５の時刻ｔ７以降は、ステップＳ１５及びＳ１６を経由しないので、第２利得制御部２１は利得固定を可変利得器４に指令する状態となる。ステップＳ１６を経由しないことにより、前回制御時点の送信電力Ｐ３は更新されず、図７における時刻ｔ７から時刻ｔ８までの期間は、メモリ１７に記憶している前回制御時点の送信電力Ｐ３は、時刻ｔ７における前回制御時点の送信電力に固定され、現制御時点での送信電力Ｐ２は更新されていくので、Ｐ２−Ｐ３＞Ｐｕｐの関係が成立し、各制御時点においてステップＳ１８へ処理が流れる。
【００２５】
ステップＳ１８において、バースト検出カウンタＣが所定カウント値Ｃｂ以上となった場合には、ステップＳ１６へ移行して、メモリ１７に記憶している前回制御時点の送信電力Ｐ３を、現制御時点での送信電力Ｐ２に置き換える。図７において、時刻ｔ８はバースト検出カウンタＣが所定カウント値Ｃｂ以上になる時点であり、要するに、バースト検出カウンタＣのカウントアップ開始から所定カウント値Ｃｂ以上になるまでの時間が、バースト信号の時間長さ（立上がりから立下りまでの時間長さ）に相当するように所定カウント値Ｃｂを設定することにより、バースト信号の長さ分の所定期間を利得固定の状態にすることができる。ステップＳ１６により、メモリ１７に記憶している前回制御時点の送信電力Ｐ３が、現制御時点での送信電力Ｐ２に置き換えられるので、次の制御サイクルにおいては、ステップＳ１４における比較判定器１８の出力がＰ２−Ｐ３＜Ｐｕｐとなり、ステップＳ１５に移行して、第２利得制御部２１は利得の調整量を算出して制御を行う状態となる。よって、図５の時刻ｔ８以降は（ＩＩ）段においてＡＬＣ実施状態となり、（ＩＩＩ）段の可変利得器４の利得が変化する状態となる。
【００２６】
図７では、連続信号が入力されている状態から、これにバースト信号が重畳された場合の処理を説明したが、図８により、連続信号が入力されている状態から、バースト信号が入力されずに連続信号が変動した場合について第２利得制御部２１の動作を説明する。図８中の時刻ｔ９からｔ１０まではＡＬＣ実施状態、時刻ｔ１０から時刻ｔ１１までは利得固定状態となっている。これらの状態を作り出す第２利得制御部２１の動作は、図７での時刻ｔ６から時刻ｔ７でのＡＬＣ実施状態、及び時刻ｔ７から時刻ｔ８での利得固定状態と同様であり、説明を省略する。しかし、図８ではバースト信号が入力されたのではなく連続信号が一定レベル増加して変動した状態を示しており、ｔ１１以降も入力信号の変動状態が維持される状態を示している。このとき、ｔ１１以降はＡＬＣ実施の状態となっているから、時刻ｔ１０以降に増加した状態となった送信電力値（図８（ＩＶ）段参照）を、時刻ｔ１１以降は減少させて、送信目標電力値Ｐｔにするように、第２利得制御部２１でのＡＬＣ制御が実施されることとなる。
【００２７】
以上のように、連続信号とバースト信号が混在して入力されている場合においては、利得を固定するように、第２利得制御部２１が可変利得器４に指令するので、連続信号とバースト信号が混在しても、送信電力の総和を抑制せず、それぞれの信号の送信電力を低下させることがなく、精度のよい送信電力制御をすることが可能となる。また、連続信号が入力された状態からその連続信号が電力変動しても、一時的に送信電力が変動するものの、所定期間（バースト信号の時間長さ分）経過により、送信電力を送信目標電力値に近づけるように制御されるので、安定した送信電力制御をすることができる。
【図面の簡単な説明】
【００２８】
【図１】この発明の実施の形態１に係る無線通信装置における送信信号の周波数配置の一例を示す模式図である。
【図２】この発明の実施の形態１に係る無線通信装置の構成を示す機能ブロック図である。
【図３】利得制御のメイン処理を表すフローチャートである。
【図４】バースト信号のみが入力されている状態における利得制御量の計算処理を示すフローチャートである。
【図５】バースト信号のみが入力されている状態における信号タイムチャートの一例である。
【図６】連続信号とバースト信号とが混在して入力されている状態における利得制御量の計算処理を示すフローチャートである。
【図７】連続信号とバースト信号とが混在して入力されている状態における信号タイムチャートの一例である。
【図８】連続信号とバースト信号とが混在して入力されている状態において連続信号が変化した場合の信号タイムチャートの一例である。
【符号の説明】
【００２９】
４  利得調整器
８  入力電力検出器
９  送信電力検出器
１６、１８  比較判定部
１９  利得制御部
２０  第１利得制御部
２１  第２利得制御部
【図１】
2008109435.tif 000003
【図２】
2008109435.tif 000004
【図３】
2008109435.tif 000005
【図４】
2008109435.tif 000006
【図５】
2008109435.tif 000007
【図６】
2008109435.tif 000008
【図７】
2008109435.tif 000009
【図８】
2008109435.tif 000010